(57)【特許請求の範囲】
【請求項１】
回線と接続された電話装置であり、
上記電話装置は、キーと、回線からの用件メッセージを格納する用件メッセージ格納手段と、上記用件メッセージに対応する電話番号を格納する電話番号格納手段と、上記用件メッセージ格納手段に格納された用件メッセージを再生する手段と、上記電話番号を着信拒否相手先として登録する着信拒否登録手段と、を有し、上記用件メッセージ再生手段が用件メッセージを再生する際に、前記キーの操作に応じて上記着信拒否登録手段が再生中の用件メッセージに対応する電話番号を着信拒否相手先として登録することを特徴とする電話装置。
【請求項２】
請求項１記載の電話装置であり、
上記電話装置は、着信時に着信音を送出する着信音送出手段と、着信時に回線からの電話番号を検出する電話番号検出手段と、着信時に回線から受信した上記電話番号と上記着信拒否登録手段が登録した着信拒否相手先の電話番号とが一致するか否かを判定する一致判定手段と、を有し、
着信時に上記電話番号検出手段が発呼側の電話番号を検出し、上記一致判定手段が受信した電話番号と着信拒否相手先の電話番号とが一致すると判定すると、上記着信音送出手段が着信音送出を禁止することを特徴とする電話装置。
【請求項３】
請求項１記載の電話装置であり、
上記電話装置は、着信時に回線からの電話番号を検出する電話番号検出手段と、着信時に回線から受信した上記電話番号と上記着信拒否登録手段が登録した着信拒否相手先の電話番号とが一致するか否かを判定する一致判定手段と、回線を接続する回線接続手段と、回線へビープ音を送出するビープ音送出手段と、を有し、
着信時に上記電話番号検出手段が電話番号を検出し、上記一致判定手段が検出された電話番号と着信拒否相手先の電話番号とが一致すると判定すると、上記回線接続手段が回線を接続し、上記ビープ音送出手段が回線へビープ音を送出することを特徴とする電話装置。
【請求項４】
請求項１記載の電話装置であり、
上記電話装置は、着信時に回線からの電話番号を検出する電話番号検出手段と、着信時に回線から受信した上記電話番号と上記着信拒否登録手段が登録した着信拒否相手先の電話番号とが一致するか否かを判定する一致判定手段と、を有し、
着信時に上記電話番号検出手段が発呼側の電話番号を検出し、上記一致判定手段が電話番号と着信拒否相手先の電話番号とが一致すると判定すると、上記用件メッセージ格納手段による用件メッセージの格納を禁止することを特徴とする電話装置。
【発明の詳細な説明】
【０００１】
【産業上の利用分野】
本発明は電話装置に関する。
【０００２】
【従来の技術】
近年の電話装置は、単に通話を行う機能だけでなく、電話番号を表示する機能等の様々な機能を搭載している。又、通信会社も様々な通信サービスを提供している。
【０００３】
例えば、日本電信電話株式会社が提供しているサービスの一つにナンバーディスプレイサービスがある。
【０００４】
上記サービスは、発呼側が発呼動作を行うと、交換器から発呼側の情報（例えば電話番号）を着呼側に送信するものである。
【０００５】
上記サービスに対応する電話装置は、回線を介して交換器から受信した発呼側の電話番号を例えば液晶表示装置等の表示装置に表示する。この為、着信側のユーザは、表示装置に表示された発呼側の情報から、着信に応答する前に誰からの着信であるかを知ることができる。
【０００６】
又、発呼側の電話装置のユーザが、発呼時に例えば“１８４”とダイヤルキーを押下した後に所望の電話番号の押下操作を行うことにより、自身の電話番号を相手側に通知させないようにすることもできる。
【０００７】
更に、着信時に回線から入力した発呼側の電話番号と電話帳メモリ等のメモリに格納されている電話番号とが一致しない場合、或いは、番号非通知の着信の際には、着信音をスピーカから送出させない機能を有する電話装置が製品化されており、これによりユーザは、不所望な相手先からの着信に対しては耳障りな着信音をスピーカから送出させないようにすることができる。
【００１０】
【発明が解決しようとする課題】
着信に応答したくない発呼側の電話番号を登録する際には、発呼側の電話番号入力操作等の様々なキー操作を行わなければならず、非常に面倒である、又、登録操作を失敗した場合には、着信に応答したくない相手先からの着信時でも着信音がスピーカから送出することがある。
【００１１】
【課題を解決するための手段】
請求項１記載の電話装置は、回線と接続された電話装置であり、上記電話装置は、キーと、回線からの用件メッセージを格納する用件メッセージ格納手段と、上記用件メッセージに対応する電話番号を格納する電話番号格納手段と、上記用件メッセージ格納手段に格納された用件メッセージを再生する手段と、上記電話番号を着信拒否相手先として登録する着信拒否登録手段と、を有し、上記用件メッセージ再生手段が用件メッセージを再生する際に、前記キーの操作に応じて上記着信拒否登録手段が再生中の用件メッセージに対応する電話番号を着信拒否相手先として登録することを特徴とする。
【００１２】
請求項２記載の電話装置は、請求項１記載の電話装置であり、上記電話装置は、着信時に着信音を送出する着信音送出手段と、着信時に回線からの電話番号を検出する電話番号検出手段と、着信時に回線から受信した上記電話番号と上記着信拒否登録手段が登録した着信拒否相手先の電話番号とが一致するか否かを判定する一致判定手段と、を有し、着信時に上記電話番号検出手段が発呼側の電話番号を検出し、上記一致判定手段が受信した電話番号と着信拒否相手先の電話番号とが一致すると判定すると、上記着信音送出手段が着信音送出を禁止することを特徴とする。
【００１３】
請求項３記載の電話装置は、請求項１記載の電話装置であり、上記電話装置は、着信時に回線からの電話番号を検出する電話番号検出手段と、着信時に回線から受信した上記電話番号と上記着信拒否登録手段が登録した着信拒否相手先の電話番号とが一致するか否かを判定する一致判定手段と、回線を接続する回線接続手段と、回線へビープ音を送出するビープ音送出手段と、を有し、着信時に上記電話番号検出手段が電話番号を検出し、上記一致判定手段が検出された電話番号と着信拒否相手先の電話番号とが一致すると判定すると、上記回線接続手段が回線を接続し、上記ビープ音送出手段が回線へビープ音を送出することを特徴とする。
【００１４】
【発明の実施の形態】
図１は本発明を適用してなる実施例装置（電話装置）のブロック図である。
【００１５】
図１において、制御部１００は電話装置内部の各回路の制御を司る。
【００１６】
ダイオードブリッジ１１０は回線Ｌと接続されており、回線Ｌの極性が反転しても装置内部の回路の電位を一定に保つ。
【００１７】
リンガー検出部１２０は、回線Ｌに接続され、回線Ｌから一定周期で送られてくる周波数１６ヘルツの着信信号を検出すると上記着信を示す信号を制御部１００に送出する。
【００１８】
網制御部１３０は、上記制御部１００の制御の下で回線の閉結動作を行う。
【００１９】
ビープ音発生部１４０は、制御部１００の制御の下で例えば２キロヘルツのビープ音を網制御部１３０を介して回線Ｌへ送出する。
【００２０】
スピーカ１５０は、アンプ１６０とミュート回路１７０を介して制御部１００と接続されており、上記リンガー検出部１２０により回線Ｌからの着信信号が検出された際に着信音を送出し、又、後述する用件メッセージ格納部２４０に格納された用件メッセージの再生時にこのメッセージを送出する。
【００２１】
ミュート回路１７０は、制御部１００の制御の下で、スピーチネットワーク部１８０から入力した音声信号や着信音等をスピーカから送出させないようにする。
【００２２】
スピーチネットワーク部１８０は、音声信号の通過するラインの接続切換を行う。
【００２３】
送受話部１９０のスピーカ１９１は、アンプ１９２を介して上記スピーチネットワーク部１８０と接続されており、回線Ｌから入力した発呼側の音声信号を送出する。
【００２４】
送受話部１９０のマイク１９３は、アンプ１９４を介して上記スピーチネットワーク部１８０と接続されており、ユーザの発した音声信号をスピーチネットワーク部１８０へ送出する。
【００２５】
フック検出部２００は、制御部１００と接続されており、上記送受話部１９０のオンフック、オフフックを検出する。
【００２６】
発呼側番号検出部２１０は、スピーチネットワーク部１８０と制御部１００とに接続されており、着信時に回線Ｌからの発呼側電話番号を検出する。
【００２７】
入力部２２０は、テンキーや、後述する用件メッセージ格納部２４０に格納された用件メッセージを再生する為の用件再生キーや、再生された用件メッセージに対応する電話番号（用件メッセージを送信した発呼側の電話番号）を後述する拒否番号格納部２６０に格納する為のゲキタイキーや、用件メッセージを消去する為のキー等を有しており、入力部２２０で入力された信号は制御部１００に送出される。
【００２８】
電話帳メモリ２３０は、例えばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等の書き換え自由な不揮発性メモリからなり、電話番号と発呼側の名称とを対にして複数件格納可能である。
【００２９】
用件メッセージ格納部２４０は、例えばＥＥＰＲＯＭからなり、電話装置が留守録音を開始した際に回線Ｌから入力した発呼側の用件メッセージを格納する領域と、上記用件メッセージに対応する発呼側の電話番号を格納する領域とを有しており、上記発呼側番号検出部２１０が着信時に発呼側の電話番号を検出した場合には、上記用件メッセージと発呼側の電話番号とを対にして格納可能であり、これらの情報を複数件格納可能である。
【００３０】
表示部２５０は、上記入力部２２０から入力された電話番号や、上記電話帳メモリ２３０に格納されている電話番号及び名称等を表示することが可能である。又、上記用件メッセージ格納部２４０に格納されている発呼側からの用件メッセージを再生（スピーカ１５０から送出）している際に、上記用件メッセージ格納部２４０に上記発呼側のメッセージと対となって格納されている発呼側の電話番号を表示する。
【００３１】
拒否番号格納部２６０は、例えばＥＥＰＲＯＭ等からなり、上記用件メッセージ格納部２４０に格納された用件メッセージが再生されると共に上記表示部２５０に上記発呼側の電話番号が表示されている際に、入力部２２０からゲキタイキーが押下されることにより、表示されている発呼側の電話番号が着信拒否電話番号として登録される。
【００３２】
応答メッセージ格納部２７０は、例えばＥＥＰＲＯＭ等からなり、用件メッセージを格納する前に発呼側へ送出する応答メッセージ（例えば、“ただ今でかけております、発信音の後にメッセージをおっしゃって下さい”）を格納している。
【００３３】
尚、上記制御部１００は、着信時に上記発呼側番号検出部２１０が検出した発呼側電話番号と一致する発呼側電話番号が、上記電話帳メモリ２３０又は上記用件メッセージ格納部２４０に格納されているか否かを判定する機能も有している。
【００３４】
次に、本実施例装置の動作について以下に説明する。
【００３５】
図２は、着信時における本実施例装置の動作を示すフロー図である。
【００３６】
Ｓ１ステップにおいて、制御部１００は、リンガー検出部１２０から着信を示す信号を検出するとＳ２ステップへと処理を進める。
【００３７】
Ｓ２ステップでは、制御部１００は、発呼側番号検出部２１０から発呼側の電話番号を受信するとＳ３ステップへ処理を進め、一方、検出しなければＳ１１ステップへ処理を進める。
【００３８】
Ｓ３ステップでは、制御部１００は、上記Ｓ２ステップで検出した発呼側の電話番号と一致する電話番号が着信拒否番号格納部２６０に格納されていると判定するとＳ４ステップへ処理を進め、一方、格納されていないと判定するとＳ５ステップへ処理を進める。尚、上記着信拒否番号については、後程図３を用いて詳細に説明する。
【００３９】
Ｓ４ステップでは、制御部１００は、ビープ音発生部１４０を制御することにより、ビープ音を生成させ、スピーチネットワーク部１８０、網制御部１３０、ダイオードブリッジ１１０を介して回線Ｌへ送出させ、Ｓ９ステップへ処理を進める。
【００４０】
Ｓ５ステップでは、制御部１００は、上記Ｓ２ステップで受信した発信者の電話番号と一致する電話番号が上記電話帳メモリ２３０に格納されていると判定するとＳ６ステップへ処理を進め、一方、格納されていないと判定するとＳ１０ステップへ処理を進める。
【００４１】
Ｓ６ステップでは、制御部１００は、リンガー検出部１２０が回線Ｌから着信信号を検出する度にスピーカ１５０から着信音を送出させ、Ｓ７ステップへ処理を進める。
【００４２】
Ｓ７ステップでは、制御部１００は、リンガー検出部１２０からの着信信号検出を示す信号の検出回数をカウントし、そのカウント値が例えば６回であると判定するとＳ８ステップへ処理を進め、一方、６回であると判定しなければ、Ｓ６ステップへ処理を戻す。
【００４３】
Ｓ８ステップでは、制御部１００は、網制御部１３０に回線Ｌを閉結させた後に応答メッセージ格納部２６０に格納されている応答メッセージと例えば“ピー”という発信音を回線Ｌへ送出させた後に、回線Ｌから入力されるメッセージを上記用件メッセージ格納部２４０に格納すると共に、上記Ｓ２ステップで検出された発呼側電話番号が、上記メッセージと対となるように、用件メッセージ格納部２４０に格納される。
【００４４】
尚、Ｓ８ステップでは、上記Ｓ２ステップにおいて発呼側電話番号が検出されなければ、上記用件メッセージ格納部２４０には用件メッセージのみ格納される。
【００４５】
続くＳ９ステップでは、制御部１００は、発呼側のオンフックと共に用件メッセージ格納部２４０を制御することにより、用件メッセージの格納動作を停止させ、網制御部１３０を制御することにより回線Ｌを開放させ、着信動作が終了する。
【００４６】
Ｓ１０ステップでは、制御部１００は、リンガー検出部１２０が回線Ｌから着信信号を検出する度にスピーカ１５０から着信音を送出させ、Ｓ１１ステップへ処理を進める。
【００４７】
Ｓ１１ステップでは、制御部１００は、リンガー検出部１２０から着信信号検出を示す信号を２回検出すると、Ｓ８ステップへ処理を進める。
【００４８】
このように、発呼側番号検出部２１０が、着信時に回線から発呼側の電話番号を検出する場合には、スピーカ１５０から第１の回数（例えば、６回）着信音を送出する（図２、Ｓ１〜Ｓ３、Ｓ５〜Ｓ７ステップ参照）。一方、上記発呼側番号検出部２１０が、着信時に回線から発呼側の電話番号を検出しない場合には、スピーカ１５０から第２の回数（例えば、２回）着信音を送出する（図２に示す、Ｓ１〜Ｓ２、Ｓ１１ステップ参照）。
【００４９】
この為、ユーザが着信音の送出回数に応じて、番号通知の相手先からの着信であるか否かを知ることができると共に、現在着信中であるか否かを音で知ることができ、番号非通知の相手先からの着信に誤って応答することがない。
【００５０】
又、着信時に受信した発呼側の電話番号と一致する電話番号が電話帳メモリに格納されている場合には、ユーザの知人からの呼出であるので、或る程度の呼出回数（例えば６回）の呼び出し音をスピーカ１５０から送出した後に自動的に回線を閉結させて用件メッセージを上記用件メッセージ格納部２４０に格納している（図２に示す、Ｓ１〜Ｓ３、Ｓ５〜Ｓ８ステップ参照）。一方、着信時に受信した発呼側の電話番号と一致する電話番号が電話帳メモリに格納されていない場合には、いたずら電話を目的とする相手先からの着信である可能性がある為、第２の回数（例えば、２回）の呼出音をスピーカ１５０から送出させた後に自動的に回線を閉結させて用件メッセージの録音動作を開始する（図２に示す、Ｓ１〜Ｓ３、Ｓ５、Ｓ１０〜Ｓ１１、Ｓ８ステップ参照）。
【００５１】
このようにして、いたずらを目的とする発呼側からの着信時においては、用件メッセージの録音動作開始までの着信信号検出回数を第１の回数（例えば、６回）よりも少ない第２の回数（例えば、２回）とし、耳障りな着信音をできるだけ送出させないようにすると共に、着信中にユーザが誤って着信に応答する機会をできるだけ少なくしている。
【００５２】
更に、着信時に受信した電話番号と電話帳メモリ２３０に格納されている電話番号とが一致しない場合（図２、Ｓ１〜Ｓ３、Ｓ５、Ｓ１０〜Ｓ１１と続くステップ）や、着信時に電話番号を検出しない場合（図２、Ｓ１〜Ｓ２、Ｓ１１と続くステップ）でも、発呼側がいたずら目的で発呼していない可能性がある。この為、図２のＳ８ステップで示すように所定回数回線から着信信号を受信した後に自動的に回線からの用件メッセージの格納動作を実行する。このようにして、ユーザは、後程発呼側からの用件メッセージを聞くことによりどのような用件であるかを知ることができる。
【００５３】
次に録音した用件メッセージを再生する動作について説明する。
【００５４】
図３は、用件メッセージを再生する際の動作を示すフロー図である。
【００５５】
Ｓ２０ステップでは、制御部１００は、入力部２２０から用件メッセージ再生を示すキーの押下信号を検出するとＳ２１ステップへ処理を進める。
【００５６】
Ｓ２１ステップでは、制御部１００は、用件メッセージ格納部２４０に格納されている用件メッセージを、最も最近録音した用件から読み込み、アンプ１６０を介してスピーカ１５０から送出させると共に上記用件メッセージ格納部２４０から上記メッセージと対となって格納されている電話番号を読取り、表示部２５０に表示させ、Ｓ２２ステップへ処理を進める。
【００５７】
Ｓ２２ステップでは、制御部１００は、入力部２２０からゲキタイボタンの押下を示す信号を検出するとＳ２３ステップへ処理を進め、一方、上記押下信号を検出しない場合にはＳ２４ステップへ処理を進める。
【００５８】
Ｓ２３ステップでは、制御部１００は、表示部２５０に表示されている電話番号のデータを上記用件メッセージ格納部２４０から読み込み、着信拒否番号として着信拒否番号格納部２６０に格納させ、Ｓ２４ステップへ処理を進める。
【００５９】
Ｓ２４ステップでは、制御部１００は、入力部２２０から消去ボタンの押下を示す信号を検出するとＳ２５ステップへ処理を進め、一方、上記ボタン押下の信号を検出しない場合には、Ｓ２７ステップへ処理を進める。
【００６０】
Ｓ２５ステップでは、制御部１００は、上記用件メッセージ格納部２４０を制御することにより、上記Ｓ２１ステップで再生開始した用件メッセージと該メッセージに対応する電話番号とを、上記用件メッセージ格納部２４０から消去して、用件再生動作の処理を終了する。
【００６１】
Ｓ２６ステップでは、制御部１００は、用件メッセージ格納部２４０に格納されている用件メッセージの再生を終了すると、用件再生動作の処理を終了する。
【００６２】
このように、ユーザが用件メッセージを聞き、いたずら電話であると判断すると、図２のＳ２３ステップで着信拒否番号として相手先の電話番号を着信拒否番号格納部２６０に格納することにより、図１のＳ１ステップからＳ３ステップに示すように上記着信拒否番号の発呼側からの着信があると、制御部１００は図１のＳ４ステップに示すように回線Ｌへビープ音を送出する。この為、発呼側は、回線或いは電話装置に不具合が生じたと思い、着呼側装置のユーザへの発呼をあきらめるようにすることができる。
【００６３】
尚、着信拒否番号の発呼側からの着信があると、図２のＳ４ステップにおいて、ビープ音を送出する代わりに、回線からの着信に対して呼び出し音を送出させないようにすると共に留守録動作の開始を禁止させることも可能であり、このようにすることにより、ユーザは、着信に応答したくない相手先からの着信音に対して不快に思うこともなく、上記相手先からの用件メッセージを聞かずに済む。又、この時、ユーザが誤って着信に応答しない為に表示部には例えば"着信中“と表示させることが好ましい。
【００６４】
以上説明したように、本実施例装置は、ユーザが録音された用件メッセージを聞き、その内容が例えば、ユーザを中傷するような内容である場合には、ユーザは、ゲキタイボタンを押下するのみでそのメッセージの送出者の電話番号を着信拒否の相手先として簡単に登録することが可能である。又、登録された着信拒否の相手先から着信があると、すぐに回線閉結すると共にビープ音を回線へ送出する。この為、発呼側は回線に不具合が生じた或いは端末の故障と思い込み、相手側を呼び出すのをあきらめることとなる。
【００６８】
尚、本実施例では、有線回線と接続された電話装置について実施したが、無線回線と接続された電話装置についても同様に実施することが可能である。
【００６９】
【発明の効果】
本発明の電話装置は、着信音の送出回数の違いにより、ユーザに所望の相手先からの着信であるか否かを知らせることが可能である。
【図面の簡単な説明】
【図１】本発明を適用してなる実施例装置のブロック図である。
【図２】本実施例装置の着信時の動作を示すフロー図である。
【図３】本実施例装置の用件再生時の動作を示すフロー図である。
【符号の説明】
１００  制御部
１２０  リンガー検出部
１３０  網制御部
１４０  ビープ音発生部
１５０  スピーカ
２１０  発呼側番号検出部
２２０  入力部
２３０  電話帳メモリ
２４０  用件メッセージ格納部
２５０  表示部
２６０  拒否番号格納部
【図１】
0003711014.tif 000002
【図２】
0003711014.tif 000003
【図３】
0003711014.tif 000004